【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
入力電流を出力電流に変換するように構成された電力変換回路と、制御装置と、前記電力変換回路に動作可能に接続され、また溶接電源の溶接出力に動作可能に接続された溶接出力回路経路を通る前記出力電流の向きを前記制御装置のコマンドに従って切り替えるように構成されたブリッジ回路と、前記ブリッジ回路に動作可能に接続され、前記出力電流の極性遷移中にアークを再点火させるのに十分な電圧を、前記溶接出力回路経路の電極と被加工物の間に誘起するように構成され、オーバーシュート電流を誘起して、前記出力電流の少なくとも負から正への極性遷移中にアーク再点火を容易にするようにさらに構成されたアーク調整回路とを備え、
前記アーク調整回路が、エネルギーを蓄積するように構成されたインダクタと、当該インダクタに調整した定電流を供給するように構成された定電流源とを備え、
前記アーク調整回路の出力が前記ブリッジ回路に接続されていることを特徴とする溶接電源。
【請求項２】
請求項１に記載の溶接電源において、前記アーク調整回路が、前記オーバーシュート電流を供給するように構成された重畳キャパシタを備えることを特徴とする溶接電源。
【請求項３】
請求項２に記載の溶接電源において、前記アーク調整回路が、前記出力電流の前記負から正への極性遷移中に前記重畳キャパシタを選択的に放電するように構成された、独立した放電制御スイッチを備えることを特徴とする溶接電源。
【請求項４】
請求項３に記載の溶接電源において、前記少なくとも１つのインダクタのインダクタンス値が、約１０〜１００ミリヘンリーの間であることを特徴とする溶接電源。
【請求項５】
請求項１に記載の溶接電源において、前記定電流源が、２アンペア〜１０アンペアの間の調整可能な電流を供給するように構成されること特徴とする溶接電源。
【請求項６】
請求項１に記載の溶接電源において、前記電力変換回路、前記ブリッジ回路、および前記アーク調整回路が、前記溶接電源の前記制御装置のコマンドに従って、ＤＣ正溶接作業、ＤＣ負溶接作業、およびＡＣ溶接作業のうちの何れかを提供するように構成されることを特徴とする溶接電源。
【請求項７】
請求項１に記載の溶接電源において、前記電力変換回路が、ハーフブリッジ出力トポロジを有するトランス・ベースであることを特徴とする溶接電源。
【請求項８】
請求項１に記載の溶接電源において、前記電力変換回路が、ＤＣ出力トポロジを含むことを特徴とする溶接電源。
【請求項９】
請求項１に記載の溶接電源において、前記電力変換回路が、チョッパ・ベースの回路であることを特徴とする溶接電源。
【請求項１０】
請求項１に記載の溶接電源において、前記ブリッジ回路が、少なくとも２つのスイッチング・トランジスタを備えることを特徴とする溶接電源。
【請求項１１】
入力電流を出力電流に変換するための手段と、前記溶接電源の溶接出力に動作可能に接続された溶接出力回路経路を通る出力電流の向きを切り替えて、少なくともＡＣ溶接作業を提供するための手段と、前記出力電流の極性遷移中に前記溶接出力回路経路の溶接電極と溶接被加工物の間に電圧を誘起して、前記溶接電極と前記被加工物の間に逆極性のアークを自動的に回復する手段であって、前記電圧を誘起するための手段の出力が、前記出力電流の向きを切り替えるための手段に接続されている手段と、オーバーシュート電流を誘起して、前記出力電流の少なくとも負から正への極性遷移中にアーク再点火を容易にする手段であって、前記オーバーシュート電流を誘起するための手段が、インダクタと、調整された定電流を前記インダクタに供給するように構成された定電流源とを備える手段と、を含むことを特徴とする溶接電源。
【請求項１２】
溶接電源内で入力電流を出力電流に変換するステップと、前記溶接電源の制御装置のコマンドに従って、前記溶接電源の溶接出力に動作可能に接続された溶接出力回路経路を通る出力電流の向きを、第１の向きから第２に向きに、ブリッジ回路を使用して切り替えるステップと、前記第２の向きに切り替えるステップの一環として、前記第２の向きで電極と被加工物の間にアークを自動的に再点火するのに十分な電圧レベルを、前記溶接出力回路経路の前記溶接電極と前記被加工物の間に、アーク調整回路を使用して誘起するステップと、オーバーシュート電流を、アーク調整回路を用い誘起して、前記出力電流の少なくとも負から正への極性遷移中にアーク再点火を容易にするステップとを具え、前記オーバーシュート電流を誘起するステップが、前記アーク調整回路の定電流源から前記アーク調整回路のインダクタに調整された定電流を供給するステップを備えており、前記アーク調整回路の出力が、前記ブリッジ回路に接続されていることを特徴とする方法。
【請求項１３】
請求項１２に記載の方法において、前記溶接電源の前記制御装置のコマンドに従って、前記第２の向きから前記第１の向きに前記溶接出力回路経路を通る前記出力電流の向きを切り替えるステップと、前記第１の向きに切り替えるステップの一環として、前記第１の向きで前記電極と前記被加工物の間にアークを自動的に再点火するのに十分な電圧レベルを、溶接出力回路経路の前記溶接電極と前記被加工物の間に誘起するステップとをさらに含むことを特徴とする方法。
【請求項１４】
請求項１２に記載の方法において、オーバーシュート電流を誘起するステップが、少なくとも１つの重畳キャパシタを有する前記アーク調整回路によって達成されることを特徴とする方法。
【請求項１５】
ＡＣ溶接出力電流を供給するように構成されたブリッジ回路と、前記ブリッジ回路に動作可能に接続され、出力回路経路を通る前記溶接出力電流の極性が反転すると、溶接出力に接続された前記出力回路経路でアークを自動的に再点火するのに振幅が十分な電圧を、前記溶接電源の前記溶接出力に誘起するように構成され、オーバーシュート電流を誘起して、前記出力電流の少なくとも負から正への極性遷移中にアーク再点火を容易にするようにさらに構成されたアーク調整回路とを備え、
前記アーク調整回路が、
エネルギーを蓄積するように構成されたインダクタと、
前記インダクタに調整された定電流を供給するように構成された定電流源とを備え、
前記アーク調整回路の出力が、前記ブリッジ回路に接続されていることを特徴とする溶接電源。
【請求項１６】
少なくとも１つのインダクタと、前記少なくとも１つのインダクタに直列に接続され、前記少なくとも１つのインダクタに調整された定電流を供給するように構成された少なくとも１つの定電流源と、少なくとも１つの重畳キャパシタとを備えている電流スイッチング回路を具え、前記少なくとも１つのインダクタと、前記少なくとも１つの定電流源と、前記少なくとも１つの重畳キャパシタが、前記負荷を通る溶接出力電流の極性が反転すると、前記負荷の両端に溶接アークを再点火するのに十分な電圧を、前記溶接電源の溶接出力に接続された負荷の両端に誘起するように構成されており、前記少なくとも１つの重畳キャパシタが、前記少なくとも１つのインダクタおよび前記少なくとも１つの定電流源に並列に接続されている
ことを特徴とする溶接電源。
【請求項１７】
請求項１６に記載の溶接電源において、前記電流スイッチング回路が、ハーフブリッジ回路またはフルブリッジ回路のうちの一方として構成されていることを特徴とする溶接電源。
【請求項１８】
請求項１に記載の溶接電源において、前記定電流源が、チョッパ・バック・レギュレータ、または電圧源と抵抗器のうちの少なくとも１つを備えていることを特徴とする溶接電源。
【請求項１９】
請求項１に記載の溶接電源において、前記インダクタおよび前記定電流源が、前記アーク調整回路内で直列に接続されていることを特徴とする溶接電源。
【請求項２０】
請求項１９に記載の溶接電源において、前記重畳キャパシタが、前記アーク調整回路内で前記インダクタおよび前記定電流源に並列に接続されていることを特徴とする溶接電源。
【請求項２１】
請求項１に記載の溶接電源において、前記電力変換回路が、外部電源から交流電流を受け入れ、前記アーク調整回路および前記ブリッジ回路へ直流電流を出力するように構成されていることを特徴とする溶接電源。
【請求項２２】
入力電流を出力電流に変換するように構成された電力変換回路と、制御装置と、前記電力変換回路に動作可能に接続され、また溶接電源の溶接出力に動作可能に接続された溶接出力回路経路を通る前記出力電流の向きを前記制御装置のコマンドに従って切り替えるように構成されたブリッジ回路と、前記ブリッジ回路に動作可能に接続され、前記出力電流の極性遷移中にアークを再点火させるのに十分な電圧を、前記溶接出力回路経路の電極と被加工物の間に誘起するように構成され、オーバーシュート電流を誘起して、前記出力電流の少なくとも負から正への極性遷移中にアーク再点火を容易にするようにさらに構成されたアーク調整回路とを備え、
前記アーク調整回路が、エネルギーを蓄積するように構成されたインダクタと、前記インダクタに調整された定電流を供給するように構成された定電流源と、どちらの極性でも高電圧レベルを選択的に誘起するよう構成された２つのスイッチング・トランジスタとを備えていることを特徴とする溶接電源。